(57)【要約】【課題】生物の火葬後の総残骨量に対する所定割合の第１骨量よりも多い骨量の骨を供養しない地域でも、総残骨量から第１骨量を差し引いた第２骨量の骨を収骨して供養することができる供養データ処理方法を提供する。【解決手段】生物の火葬後の総残骨量の骨の所定割合の骨量を第１骨量とした場合に、前記第１骨量の骨を収骨して供養するのとは別に、生物の火葬後の前記総残骨量から前記第１骨量を差し引いた第２骨量の骨を収骨して供養する第１収骨プランを申込者により選択されるプラン選択部と、申込者が申込んだ前記プラン選択ステップにより選択した収骨プランで供養することを確認させて決済するための送信データを、前記申込者の端末に送信する確認決済部と、を含み、コンピュータに実行させる供養プランデータ処理システム。【選択図】図２
2017199115.tif 000002
【特許請求の範囲】
【請求項１】
事前に対象プランを限定せずに利用の都度に申込及びプランの選択を行う供養プランデータ処理システムであって、
申込者のログインＩＤを申込者の端末から受信すると、前記ログインＩＤに基づいて、前記ログインＩＤに関連付けられた申込者データを格納する申込者データ格納部から前記申込者データを検索して照合するログインＩＤ照合部と、
生物の火葬後の総残骨量の骨に対する所定割合の骨量を第１骨量とした場合に、前記第１骨量の骨を収骨して供養するのとは別に、生物の火葬後の前記総残骨量から前記第１骨量を差し引いた第２骨量の骨を収骨して供養する第１収骨プランを申込者により選択されるプラン選択部と、
前記プラン選択部により選択された収骨プランで供養することを確認させて決済するための送信データを、前記申込者の端末に送信する確認決済部と、
を含み、コンピュータに実行させることを特徴とする供養プランデータ処理システム。
【請求項２】
前記プラン選択部は、申込者が、生物の火葬後の総残骨量に対する所定割合の第１骨量の骨のみを収骨して寺で供養する第２収骨プランを選択可能であることを特徴とする請求項１に記載の供養プランデータ処理システム。
【請求項３】
前記所定割合は、前記総残骨量の３０％〜４０％であることを特徴とする請求項１又は請求項２に記載の供養プランデータ処理システム。
【請求項４】
申込者が前記第１収骨プランを選択する場合には、
申込者は、前記第１収骨プランを実施する寺院が含まれた地域を選択し、前記第１収骨プランを実施する寺院を選択可能であることを特徴とする請求項１乃至請求項３のいずれか１項に記載の供養プランデータ処理システム。
【請求項５】
申込者が前記第１収骨プランを選択する場合には、
申込者は、前記第２骨量の骨を他の申込者とは別に個別に供養する個別供養プランと、前記第２骨量の骨を他の申込者と合同で供養する合同供養プランと、のいずれかのプランを選択可能であることを特徴とする請求項１乃至請求項４のいずれか１項に記載の供養プランデータ処理システム。
【請求項６】
申込者が前記第１収骨プランを選択する場合には、
供養後に散骨する散骨プランと、供養後に樹木に納骨する樹木納骨プランと、供養後に墓に納骨する墓納骨プランと、供養から所定期間経過後に申込者に骨を返す返骨プランと、のいずれかのプランを選択可能であることを特徴とする請求項５に記載の供養プランデータ処理システム。
【請求項７】
事前に対象プランを限定せずに利用の都度に申込及びプランの選択を行う供養プランデータ処理方法であって、
申込者のログインＩＤを申込者の端末から受信すると、前記ログインＩＤに基づいて、前記ログインＩＤに関連付けられた申込者データを格納する申込者データ格納部から前記申込者データを検索するログインＩＤ照合ステップと、
生物の火葬後の総残骨量に対する所定割合の骨量を第１骨量とした場合に、前記第１骨量の骨を収骨して供養するのとは別に、生物の火葬後の前記総残骨量から前記第１骨量を差し引いた第２骨量の骨を収骨して供養する第１収骨プランを申込者により選択されるプラン選択ステップと、
申込者が申込んだ前記プラン選択ステップにより選択した収骨プランで供養することを確認させて決済するための送信データを、前記申込者の端末に送信する確認決済ステップと、
を含み、コンピュータに実行させることを特徴とする供養プランデータ処理方法。
【発明の詳細な説明】
【技術分野】
【０００１】
本発明は、供養プランデータを処理する供養プランデータ処理システム及び供養プランデータ処理方法に関する。
【背景技術】
【０００２】
特許文献１には、サーバーが供養対象と供養実施日を申込者の端末から受信し、住職が供養をして住職の端末の供養完了ボタンをクリックすると、サーバーが供養完了を申込者の端末にメールで通知する、供養申込受付装置に関する技術が開示される。
【０００３】
この一方で、こうした遺骨の供養は、日本においては一般的に、愛知県より東の地方では、遺族が遺骨の大部分を収骨する全部収骨方法が採用され、愛知県より西の地方では、遺族が遺骨の一部を収骨する部分収骨方法が採用されている。
【先行技術文献】
【特許文献】
【０００４】
【特許文献１】特開２００５−１５７６１４号公報
【発明の概要】
【発明が解決しようとする課題】
【０００５】
しかしながら、愛知県より西の地方では遺骨の一部以外が一般廃棄物と同様に扱われており、遺族の中には、遺骨の一部以外についても収骨して供養したいと望む方も多い。こうした遺族のニーズに応じた供養の申込を可能にすることが望まれる。
【０００６】
そこで、本発明は、生物の火葬後の総残骨量に対して所定割合の第１骨量よりも多い骨量の骨を供養しない地域でも、総残骨量から第１骨量を差し引いた第２骨量の骨を収骨して供養することができる供養プランデータ処理システムを提供することを目的とする。
【課題を解決するための手段】
【０００７】
本発明の実施形態による供養プランデータ処理システムによると、事前に対象プランを限定せずに利用の都度に申込及びプランの選択を行う供養プランデータ処理システムであって、申込者のログインＩＤを申込者の端末から受信すると、前記ログインＩＤに基づいて、前記ログインＩＤに関連付けられた申込者データを格納する申込者データ格納部から前記申込者データを検索して照合するログインＩＤ照合部と、生物の火葬後の総残骨量に対する所定割合の骨量を第１骨量とした場合に、前記第１骨量の骨を収骨して供養するのとは別に、生物の火葬後の前記総残骨量から前記第１骨量を差し引いた第２骨量の骨を収骨して供養する第１収骨プランを申込者により選択されるプラン選択部と、申込者が申込んだ前記プラン選択ステップにより選択した収骨プランで供養することを確認させて決済するための送信データを、前記申込者の端末に送信する確認決済部と、を含み、コンピュータに実行させることを特徴とする供養プランデータ処理システムが提供される。
【０００８】
前記プラン選択部は、申込者が、生物の火葬後の総残骨量に対する所定割合の第１骨量の骨のみを収骨して寺で供養する第２収骨プランを選択可能であってもよい。
【０００９】
前記所定割合は、前記総残骨量の３０％〜４０％であってもよい。
【００１０】
申込者が前記第１収骨プランを選択する場合には、申込者は、前記第１収骨プランを実施する寺院が含まれた地域を選択し、前記第１収骨プランを実施する寺院を選択可能であってもよい。
【００１１】
申込者が前記第１収骨プランを選択する場合には、申込者は、前記第２骨量の骨を他の申込者とは別に個別に供養する個別供養プランと、前記第２骨量の骨を他の申込者と合同で供養する合同供養プランと、のいずれかのプランを選択可能であってもよい。
【００１２】
申込者が前記第１収骨プランを選択する場合には、供養後に散骨する散骨プランと、供養後に樹木に納骨する樹木納骨プランと、供養後に墓に納骨する墓納骨プランと、供養から所定期間経過後に申込者に骨を返す返骨プランと、のいずれかのプランを選択可能であってもよい。
【００１３】
本発明の供養プランデータ処理方法によれば、事前に対象プランを限定せずに利用の都度に申込及びプランの選択を行う供養プランデータ処理方法であって、申込者のログインＩＤを申込者の端末から受信すると、前記ログインＩＤに基づいて、前記ログインＩＤに関連付けられた申込者データを格納する申込者データ格納部から前記申込者データを検索するログインＩＤ照合ステップと、生物の火葬後の総残骨量の骨の３０％〜４０％の第１骨量とした場合に、前記第１骨量の骨を収骨して供養するのとは別に、生物の火葬後の前記総残骨量から前記第１骨量を差し引いた第２骨量の骨を収骨して供養する第１収骨プランを申込者により選択されるプラン選択ステップと、申込者が申込んだ前記プラン選択ステップにより選択した収骨プランで供養することを確認させて決済するための送信データを、前記申込者の端末に送信する確認決済ステップと、を含み、コンピュータに実行させることを特徴とする供養プランデータ処理方法が提供される。
【発明の効果】
【００１４】
本発明によれば、生物の火葬後の総残骨量に対する所定割合の第１骨量よりも多い骨量の骨を供養しない地域でも、総残骨量から第１骨量を差し引いた第２骨量の骨を収骨して供養することができる。
【図面の簡単な説明】
【００１５】
【図１】本発明の一実施形態に係る供養データ処理方法を実行するための供養データ処理システムの構成図である。
【図２】サーバーの処理手順を示すフローチャートである。
【図３】サーバーの処理手順を示すフローチャートである。
【発明を実施するための形態】
【００１６】
以下、図面を参照して本発明の作業機の実施例について説明する。但し、本発明の作業機は多くの異なる態様で実施することが可能であり、以下に示す例の記載内容に限定して解釈されるものではない。なお、本実施の形態で参照する図面において、同一部分または同様な機能を有する部分には同一の符号を付し、その繰り返しの説明は省略する。
【００１７】
〈実施例〉
図１から図３を用いて、本発明の一実施形態に係る供養プランデータ処理システムとしてのサーバー３０について説明する。
【００１８】
図１は、本発明の一実施形態に係る供養データ処理方法を実行するための供養データ処理システムの構成図である。図１に示されるように、インターンネットや携帯電話通信網を含むネットワーク１には、例えば、スマートフォン１０等のユーザ端末や、パーソナルコンピュータ２０等のユーザ端末が、接続される。また、そのネットワーク１は、主要な処理を実施するサーバー３０（供養プランデータ処理システム）に接続されている。
【００１９】
サーバー３０には、ログインＩＤ照合部３１、申込プラン選択部３２、確認決済部３３等が格納されている。ログインＩＤ照合部３１には、申込者データ格納部３４が接続されている。申込プラン選択部３２には、申込プランデータ部３５が接続され、申込プランデータ部３５には、サービス料記憶部３６、地域情報部３７、寺院情報部３８が順に接続されている。申込プランデータ部３５は、第１収骨プランと第２収骨プランのデータを保有している。サービス料記憶部３６は、第１収骨プランのサービス料と、第２収骨プランのサービス料と、を保有している。
【００２０】
ログインＩＤ照合部３１は、申込者のログインＩＤを申込者のスマートフォン１０またはパーソナルコンピュータ２０から受信すると、ログインＩＤに基づいて、ログインＩＤに関連付けられた申込者データを格納する申込者データ格納部３４から申込者データを検索して照合する部分である。簡単にいうと、ログインＩＤ照合部３１は、申込者が入力するログインＩＤと、申込者データ格納部３４が保有する申込者データと、を照合する部分である。
【００２１】
申込プラン選択部３２は、申込者が第１収骨プランと第２収骨プランのいずれかが選択されると、選択された収骨プランに対応するサービス料、地域、寺院の情報を選択してＣＰＵ３９ａに送信する。ここから第１収骨プランと第２収骨プランの説明をするが、先に第１収骨プランについて説明し、次に第２収骨プランについて説明する。
【００２２】
（第１収骨プラン）
ここで、生物（人間、犬、猫、その他の動物を含む）の火葬後の総残骨量の骨に対する所定割合を第１骨量とする場合を想定する。この場合に、第１収骨プラン（いわゆる全部収骨プラン）は、申込者が、生物の火葬後の総残骨量から第１骨量を差し引いた第２骨量を収骨して供養するプランである。
【００２３】
すなわち、日本において愛知県より西の地方では、生物の火葬後の総残骨量に対する所定割合（３０％〜４０％）の第１骨量の骨は収骨されて寺でそのまま供養される。特に、本実施形態の第１収骨プランは、生物の火葬後の総残骨量から前述の第１骨量を差し引いた第２骨量の骨をも、収骨して供養し、一般廃棄物と同様な処理をしないことを特徴とする。
【００２４】
（第２収骨プラン）
第２収骨プラン（いわゆる部分収骨プラン）は、日本において愛知県よりも西の地方で通常行われる供養方法によるプランであり、生物の火葬後の総残骨量に対する所定割合（３０％〜４０％）の第１骨量の骨のみを収骨して寺で供養するプランである。この場合には、第２骨量の骨は、通常の通り、一般廃棄物と同様に扱われる。
【００２５】
本実施形態では、申込者は、前述した第１収骨プランと第２収骨プランのいずれかを、スマートフォン１０又はパーソナルコンピュータ２０で選択可能である（プラン選択ステップ）。この供養データ処理方法は、事前に対象プランを限定せずに利用の都度に申込及びプランの選択を行う方法であることを前提とする。
【００２６】
サービス料記憶部３６には、第１プランと第２プランの各々のサービス料を記憶する部分である。地域情報部３７は、第１収骨プランを実施する寺院を有する地域の情報と、第２収骨プランを実施する寺院を有する地域の情報と、を保有する。地域の情報は、例えば、愛知県、岐阜県等といった県単位の情報であったり、名古屋市、春日井市等といった市単位の情報であったり、適宜定めることができる。寺院情報部３８は、第１収骨プランを実施する寺院の情報と、第２収骨プランを実施する寺院の情報と、を有する。寺院の情報は、例えば、寺院の名前と住所等であっても良い。確認決済部３３は、申込プラン選択部３２により選択された収骨プランで供養することを確認させて決済するための送信データを、申込者のスマートフォン１０又はパーソナルコンピュータ２０に発信する部分である。
【００２７】
また、コントローラ３９が、ＣＰＵ３９ａ、ＲＡＭ３９ｂ、ＲＯＭ３９ｃを有しており、ログインＩＤ照合部３１、申込プラン選択部３２、確認決済部３３との情報伝達と、ネットワーク１との情報伝達と、を行っている。
【００２８】
図２は、サーバー３０の処理手順を示すフローチャートである。図３は、サーバー３０の処理手順を示すフローチャートである。図２及び図３に示されるように、サーバー３０は、以下のフローチャートの処理手順を実行する。サーバー３０は、申込者がログインＩＤを打つためのログインＩＤ欄を画面に表示させる（Ｓ１）。サーバー３０は、申込者が入力する申込者のログインＩＤを申込者のパーソナルコンピュータ２０から受信したか否かを判断する（ＩＤ確認ステップ）（Ｓ２）。
【００２９】
サーバー３０は、Ｓ２の判断の結果、ＹＥＳの場合には、ログインＩＤ照合部３１により、申込者のログインＩＤに基づいて、ログインＩＤに関連付けられた申込者データを格納する申込者データ格納部３４から申込者データを検索して照合し（Ｓ３）、ログインＩＤに対応する申込者データがあるか否かを判断する（ログインＩＤ照合ステップ）（Ｓ４）。
【００３０】
サーバー３０は、Ｓ４の判断の結果ＹＥＳの場合には、第１収骨プランと第２収骨プランを検索画面に表示する（Ｓ５）。サーバー３０は、第１収骨プランと第２収骨プランのうち、第１収骨プランが選択されたか否かを判断する（Ｓ６）。サーバー３０は、Ｓ４の判断の結果ＮＯの場合には、Ｓ１の工程に戻る。
【００３１】
サーバー３０は、Ｓ６の判断の結果ＹＥＳの場合には、第１収骨プランを実施する寺院が含まれた地域選択画面を表示する（Ｓ７）。サーバー３０は、申込者による地域の選択がされたか否かを判断する（Ｓ８）。サーバー３０は、Ｓ６の判断の結果ＮＯの場合には、第２収骨プランに誘導する（Ｓ１１）。
【００３２】
サーバー３０は、Ｓ８の判断の結果ＹＥＳの場合には、第１収骨プランを実施する寺院の寺院選択画面を表示する（Ｓ９）。そして、サーバー３０は、申込者による寺院の特定がされたか否かを判断する（Ｓ１０）。
【００３３】
サーバー３０は、Ｓ８の判断の結果、又は、Ｓ１０の判断の結果、ＮＯの場合には、第２収骨プランの検索画面を画面に表示する（Ｓ１１）。
【００３４】
サーバー３０は、Ｓ１０の判断の結果ＹＥＳの場合には、寺院の選択がされたと認識して、図３に示されるように、申込者が、第２骨量の骨を他の申込者とは別に個別に供養する個別供養プランと、第２骨量の骨を他の申込者と合同で供養する合同供養プランと、のいずれかのプランを選択することが可能な選択画面を表示させる（Ｓ１２）。サーバー３０は、申込者が個別供養プランを選択したか否かを判断する（Ｓ１３）。
【００３５】
サーバー３０は、Ｓ１３の結果ＹＥＳの場合には、申込者が、供養後に散骨する散骨プランと、供養後に樹木に納骨する樹木納骨プランと、供養後に墓に納骨する墓納骨プランと、供養から所定期間経過後に申込者に骨を返す返骨プランと、のいずれかのプランを選択することが可能な選択画面を申込者の端末に表示させる（Ｓ１４）。サーバー３０は、散骨プランの選択があったか否かを判断する（Ｓ１５）。サーバー３０は、Ｓ１３の結果ＮＯの場合には、合同供養プランの選択がされたと判断する（Ｓ１６）。合同供養プランが選択されたと判断されたのちの工程も、図示しないが、Ｓ１４、Ｓ１５、Ｓ１７、Ｓ１９、Ｓ１８、Ｓ２０、Ｓ２１、Ｓ２２と同様な工程が行われる。
【００３６】
サーバー３０は、Ｓ１５の判断の結果ＹＥＳの場合には、申込ボタンを画面に表示する（Ｓ１７）。サーバー３０は、申込者から申込ボタンがクリックされたか否かを判断する（Ｓ１８）。サーバー３０は、Ｓ１５の判断の結果ＮＯの場合には、樹木納骨プラン、墓納骨プラン、返骨プランの選択画面を表示させる（Ｓ１９）。樹木納骨プラン、墓納骨プラン、返骨プランの選択画面を表示させたのちの工程も、図示しないが、Ｓ１７、Ｓ１８、Ｓ２０、Ｓ２１、Ｓ２２と同様な工程が行われる。
【００３７】
サーバー３０は、Ｓ１８の判断の結果ＹＥＳの場合には、申込者が申込んだ選択ステップにより選択したプランで供養することを確認させて決済するための送信データを申込者の端末に送信して、確認決済画面を表示するとともに確認決済ボタンを表示する（確認決済ステップ）（Ｓ２０）。サーバー３０は、申込者から確認決済ボタンがクリックされたか否かを判断する（Ｓ２１）。サーバー３０は、Ｓ２１の判断の結果ＹＥＳの場合には、確認決済ボタンがクリックされたと認識して申込が完了されたと認識する。
【００３８】
サーバー３０は、Ｓ１８の判断の結果ＮＯの場合、又は、Ｓ２１の判断の結果ＮＯの場合には、所定時間を経過すると申込中止画面を表示させる（Ｓ２２）。
【００３９】
なお、サーバー３０は、前述したログインＩＤの入力がされたか否かを判断した結果（Ｓ２）、ＮＯの場合には、個人情報入力画面を表示して（Ｓ２３）、申込者に申込者データの入力を要求する。サーバー３０は、申込者からの申込者データの入力が完了したか否かを判断する（Ｓ２４）。サーバー３０は、Ｓ２４の判断の結果ＹＥＳの場合には、ログインＩＤを発行して（Ｓ２５）、Ｓ１の工程に戻り、Ｓ２４の判断の結果ＮＯの場合には、Ｓ２３の工程に戻る。
【００４０】
本発明によれば、申込者は、生物の火葬後の総残骨量の３０％〜４０％の骨量よりも多い骨量の供養をしない地域でも、第２骨量を収骨して供養することができる。
【００４１】
なお、本実施形態の構成は、供養プランデータ処理方法を実行するコンピュータが読み取り可能な記録媒体としても構成可能である。
【００４２】
以上、本発明について図面を参照しながら説明したが、本発明は上記の実施形態に限られるものではなく、本発明の趣旨を逸脱しない範囲で適宜変更することが可能である。
【符号の説明】
【００４３】
１    ネットワーク
１０  スマートフォン
２０  パーソナルコンピュータ
３０  サーバー
【図１】
2017199115.tif 000003
【図２】
2017199115.tif 000004
【図３】
2017199115.tif 000005